(57)【要約】      （修正有）【課題】暗所であっても煌びやかで幻想的な光の演出効果を期待できるハイヒール型容器を提供する。【解決手段】ハイヒール型容器１００は、透明部材によってハイヒールを模ったものであって、ハイヒールの爪先部分のトウの裏側面に形成された穴と、穴に挿入されるプリント基板と、トウの表面である放射部２に向けて光を発するためにプリント基板に搭載されるＬＥＤ１とを有する。【選択図】図１
0003180808.tif 000002
【実用新案登録請求の範囲】
【請求項１】
透明部材によってハイヒールを模ったハイヒール型容器であって、前記ハイヒールの爪先部分のトウの裏側面に形成された穴と、前記穴に挿入される配線基板と、前記トウの表面である放射部に向けて光を発するために前記配線基板に搭載される発光素子とを有することを特徴とするハイヒール型容器。
【請求項２】
前記穴の底面に根元の幅よりも先端側で細くなる突起を形成すると共に、前記配線基板に前記突起の根本の幅よりも狭い孔を形成し、前記突起を前記孔に挿入して、前記突起の周面と前記孔の内壁とを押し付けるようにしたことを特徴とする請求項１に記載のハイヒール型容器。
【請求項３】
前記突起と前記孔とを２対形成すると共に、前記穴の内壁を押圧する弾性部材を前記配線基板に設け、２対の前記突起及び前記穴の間の押圧と、前記穴の内壁及び前記ばねの間の押圧とによって、前記配線基板を３点支持するようにしたことを特徴とする請求項２に記載のハイヒール型容器。
【請求項４】
前記穴の奥底面を段差状に形成し、浅い面に沿って前記配線基板を位置させるとともに前記配線基板の一部を深い面との間に空間を空けるようにして前記配線基板を前記穴に挿入させることを特徴とする請求項１から請求項３のいずれかに記載のハイヒール型容器。
【考案の詳細な説明】
【技術分野】
【０００１】
この考案は、枯れないように生花を加工したプリザーブドフラワー（preserved flower）などのフラワーアレンジメントで用いるハイヒール型容器に関する。
【背景技術】
【０００２】
従来のハイヒール型容器としては、透明なアクリルやガラスによって作られたものが知られている。このような透明な材質で模られたハイヒール型容器は、光の透過、反射や屈折によって、シンデレラのガラスの靴を連想させる煌びやかで幻想的な演出を行えるため、注目を集めている。特に、ハイヒール型容器が暗所に飾られる場合には、スポットライトによって光を照らされたり、プリザーブドフラワーの中にＬＥＤ（Light Emitting Diode）を取り付けたり（特許文献１等）、光ファイバーの射出口をプリザーブドフラワーの周りに取り付けたりするような（特許文献２等）、光による演出方法が知られている。
【先行技術文献】
【特許文献】
【０００３】
【特許文献１】特開２００９−６７０４４号公報（段落００７４）
【特許文献２】特開２０１１−５４４７４号公報（段落００２３、段落００２５、図５）
【考案の概要】
【考案が解決しようとする課題】
【０００４】
しかしながら、スポットライトの照明光をハイヒール型容器に照射した場合には、鑑賞する角度によって光の演出効果を十分に期待することができないことがある。また、特許文献１や特許文献２に記載のようにプリザーブドフラワーの自体やその周りから光が放射されるような場合には、ハイヒール型容器への光の照射量が少なくなりやすいため、ハイヒール型容器自体の光の演出効果を十分に発揮させることができないという問題点がある。
【０００５】
そこで、この考案の目的は、暗所であっても煌びやかで幻想的な光の演出効果を期待できるハイヒール型容器を提供することにある。
【課題を解決するための手段】
【０００６】
このハイヒール型容器は、透明部材によってハイヒールを模ったハイヒール型容器であって、前記ハイヒールの爪先部分のトウの裏側面に形成された穴と、前記穴に挿入される配線基板と、前記トウの表面である放射部に向けて光を発するために前記配線基板に搭載される発光素子とを有することを特徴とする。
【０００７】
この構成によると、穴に配線基板を挿入することによって、トウの表面である放射部に向けて光を発するように発光素子をハイヒール型容器に取り付けることができる。これにより、発光素子から発せられた光を透明部材に透過させたり、反射や屈折を適宜繰り返えさせたりして、トウの表面である放射部から光を放射させることができる。そのため、暗所であっても煌びやかで幻想的な光の演出効果を期待できるハイヒール型容器を提供することができる。
【０００８】
また、このハイヒール型容器は、前記穴の底面に根元の幅よりも先端側で細くなる突起を形成すると共に、前記配線基板に前記突起の根本の幅よりも狭い孔を形成し、前記突起を前記孔に挿入して、前記突起の周面と前記孔の内壁とを押し付けるようにしたことを特徴とする。
【０００９】
この構成によると、突起への穴の抜き差しによって、配線基板を容易にハイヒール型容器の穴に取り付けることができる。
【００１０】
また、このハイヒール型容器は、前記突起と前記孔とを２対形成すると共に、前記穴の内壁を押圧する弾性部材を前記配線基板に設け、２対の前記突起及び前記穴の間の押圧と、前記穴の内壁及び前記ばねの間の押圧とによって、前記配線基板を３点支持するのが好ましい。
【００１１】
この構成によると、配線基板が３点支持されることによって、配線基板を安定してハイヒール型容器の穴に取り付けることができるため、抜け落ちを防止することができる。
【００１２】
また、このハイヒール型容器は、前記穴の奥底面を段差状に形成し、浅い面に沿って前記配線基板を位置させるとともに前記配線基板の一部を深い面との間に空間を空けるようにして前記配線基板を前記穴に挿入させることを特徴とする。
【００１３】
この構成によると、配線基板の深い面に位置する側を穴に奥に向かって押すことによって、配線基板が浅い面の縁を中心にして回転し、配線基板の浅い面に位置していた側が穴から出てくるため、配線基板を穴から容易に取り外すことができる。
【図面の簡単な説明】
【００１４】
【図１】この考案の実施の形態にかかるハイヒール型容器を示す斜視図である。
【図２】図１に示したハイヒール型容器の側面図である。
【図３】図１に示したハイヒール型容器の裏面図である。
【図４】図１に示したハイヒール型容器に取り付けるプリント基板の平面図である。
【考案を実施するための形態】
【００１５】
図１は、この考案の実施の形態にかかるハイヒール型容器を示す斜視図である。図２は、図１に示したハイヒール型容器の側面図である。図３は、図１に示したハイヒール型容器の裏面図である。図４は、図１に示したハイヒール型容器に取り付けるプリント基板の平面図である。なお、図２及び図３は、図１に示したハイヒール型容器にフラワーアレンジメントを施す前のプリザーブドフラワー等を省略した器としての状態を示している。
【００１６】
図１に示すように、このハイヒール型容器１００は、プリザーブドフラワーＦを装飾するために透明なアクリルによってハイヒール形状に模られ、内蔵のＬＥＤ（発光素子）１から発せられる光をハイヒールのトウを模った放射部２から主として放射するようにしたものである。
【００１７】
このハイヒール型容器１００は、図２に示すように、床面に接する底面３と、この底面３から傾斜させて連ねた傾斜底面４と、この傾斜底面４に連なり床面に向けて伸びて床面に接するヒール５とによって、ハイヒールの靴底を模って形成されている。ハイヒールの爪先部分であるトウを模った放射部２の表面は、底面３の縁から上部に向けて膨らむような曲面で形成されている。
【００１８】
そして、この放射部２と共にハイヒールのアウトソールを模った周面６が、底面３の縁、傾斜底面４の縁及びヒール５の上部の縁から上方に向けて伸びるように形成されている。また、傾斜底面４の裏面側には、プリザーブドフラワーＦを装飾するための装飾面７が形成されている。この装飾面７と、この装飾面７の周りを囲む放射部２及び周面６とによって、ハイヒールの靴底が模られている。
【００１９】
また、図２に示すように、このハイヒール型容器１００には、底面３の縁の形状に合わせて略三角形状に開口した穴８が形成されている。この穴８は、ハイヒール型容器１００の成形の際に材料の保持や材料の減量化等のために形成される。穴８の底には、浅い平面（浅い面）８ａと深い曲面（深い面）８ｂとが、段差状に形成されている。この穴８には、浅い平面８ａを切り欠くように形成された窪み８ｃが形成されている。また、浅い平面８ａの表面には、二つの円錐台突起８ｂが形成されている。この円錐台突起８ｂは、浅い平面８側が太く、先端側が細くなるように形成されている。なお、ここでは、円錐台突起８ｂとして説明するが、形状は円錐台のように断面円形に限らず、断面形状が三角形等の多角形であってもよい。
【００２０】
そして、穴８には、図３に示すように、略三角形状に開口した内壁形状に合わせた形状の略三角形状のプリント基板（配線基板）９が取り付けられている。このプリント基板９は、浅い平面８ａに沿って取り付けられ、深い曲面８ｂとの間に隙間を空けるようにして取り付けられている。プリント基板９には、ＬＥＤ１が、深い曲面８ｂ側に向けて光を放射可能に搭載されている。このプリント基板９には、図示しない配線が形成されている。
【００２１】
また、このプリント基板９には、図４に示すように、ＬＥＤ１や電池ケース１０やスイッチ１１が搭載されている。電池ケース１０には、例えば、ボタン型電池（不図示）が搭載される。ここでは、３個の電池ケース１０が、三角形の頂点に位置するようにプリント基板９に配置されている。スイッチ１１は、ここでは手動によってオン・オフさせられるものとする。そのため、手動によってスイッチ１１がオンすると、電池１０内のボタン型電池とＬＥＤ１とが導通し、ＬＥＤ１が発光する。
【００２２】
このプリント基板９には、２つの穴１２が形成されている。この穴１２は、図１及び図２に示すように、円錐台突起８ｂの根本の外径よりも細い内径に形成されている。また、２つの穴１２の内壁円中心同士の間隔と円錐台突起８ｂの外形円中心同士との間の間隔が等しく形成されている。そのため、円錐台突起８ｂを穴１３に挿入すると、プリント基板９の位置決めがなされる。さらに、円錐台突起８ｂの根本の外径よりも細い内径のため、円錐台突起８ｂの途中で穴１２に圧力が加わるため、円錐台突起８ｂを介してプリント基板９をハイヒール型容器１００に取り付けることができる。
【００２３】
また、プリント基板９には、ＬＥＤ１と反対側に、突出部１３が形成されている。この突出部１３には、外側に突出したばね１３が取り付けられている。また、この突出部１３は、窪み８ｃ（図３等参照）に嵌めこまれるとともに、ばね１３が窪み８ｃの対向面を押し付けるようになっている。そのため、円錐台突起８ｂを穴１２に嵌めたときに、ばね１３と窪み８ｃの対向面との間にも力が加わるため、プリント基板９は、２つの穴１２と、ばね１３とにより、安定に３点支持される。なお、ばね１３は、コイルばねに限らず、ゴム等の樹脂を用いてもよい。
【００２４】
ところで、穴８の中からプリント基板９を取り外すときには、図２に示すように、プリント基板９のＬＥＤ１を取り付けた側を押して（矢印Ｙ）、深い曲面８ｂ側にプリント基板９を押し込んでプリント基板９を回転させる。これによって、プリント基板９が穴８から外される。
【００２５】
次に、実施の形態のハイヒール型容器１００の使用方法を説明する。このハイヒール型容器１は、暗所に飾られるときなどには、スイッチ１２をオンにしてＬＥＤ９を点灯される。すると、ＬＥＤ９から発せられた光は、深い曲面８ｂに入射し、アクリル内を透過して放射部２から射出される。また、ＬＥＤ９から発せられた光は、深い曲面８ｂに入射する際に、その一部を反射され、深い局面８ｂの他の部分からアクリルの肉厚部分に入射する。なお、放射部２から射出される光の一部は、反射される。
【００２６】
したがって、以上の構成によると、暗所であっても煌びやかで幻想的な光の演出効果を期待できるハイヒール型容器１００を提供できる。
【００２７】
前記実施の形態では、ハイヒール型容器１００の材料として、アクリルを用いて一体成形する場合を例に説明したが、これに限らない。例えば、ガラスを用いてもよい。また、材料の透明度は、ＬＥＤ１の発する光を放射部２から透過させられる程度であればよい。また、白や赤や青等の色を付けた材料を用いてもよい。
【００２８】
前記実施の形態では、プリント基板９に搭載する発光素子としてＬＥＤ１を例に説明したが、光を照射可能な素子であれば、これに限らない。また、ＬＥＤの一種として知られる有機発光ダイオードを用いてもよい。
【００２９】
また、プリント基板９には、光を電気に変換する光電素子を搭載して、電池に充電するようにしてもよい。また、その光電素子の電圧値をモニタリングして、ハイヒール型容器１００の周囲の明るさを検出し、周囲が暗くなったときにＬＥＤ１をオンし、明るくなったときにオフするスイッチを用いてもよい。
【００３０】
前記実施の形態では、ハイヒール型容器１００にプリザーブドフラワーＦを装飾させる場合を例に説明したが、装飾するものはプリザーブドフラワーＦに限らない。例えば、パワーストーンを取り付けるようにしてもよい。また、何も装飾具を取り付けなくてもよい。
【符号の説明】
【００３１】
１００  ハイヒール型容器
１  ＬＥＤ（発光素子）
２  放射部
８  穴
８ａ  浅い平面（浅い面）
８ｂ  深い曲面（深い面）
９  プリント基板（配線基板）
【図１】
0003180808.tif 000003
【図２】
0003180808.tif 000004
【図３】
0003180808.tif 000005
【図４】
0003180808.tif 000006